(57)【要約】【課題】配光ムラや光量不足等が生じることなく、放電管の配向特性を向上させるストロボ装置を提供することである。【解決手段】この発明のストロボ装置は、放電発光部と端子１ａ、１ｂとを有するキセノン管１より発せられた光は、反射傘２によって所定方向に向けて反射される。そして、上記キセノン管１の外表面上で、上記放電発光部から上記端子１ａ、１ｂにかけて透明電極１ｅが塗布されており、この透明電極１ｅを介してトリガ電圧がキセノン管１に印加される。【選択図】　　図１
2004012782.tif 000002
【特許請求の範囲】
【請求項１】
放電発光部と端子部とを有する閃光発光放電管と、
上記閃光発光放電管より発せられた光を所定方向に向けて反射する反射傘と、
を具備し、
上記閃光発光放電管は、上記放電発光部から上記端子部にかけて透明電極が付与されており、この透明電極を介してトリガ電圧が上記閃光発光放電管に印加されることを特徴とするストロボ装置。
【請求項２】
放電発光部と、この放電発光部を挟んで両端に配される陽極端子部と、この陽極端子部よりも大きい陰極端子部とを有する閃光発光放電管と、
上記陽極端子部と陰極端子部のうちの一方と圧接して、上記閃光発光放電管を保持する保持部を有し、上記閃光発光放電管より発せられた光を所定方向に向けて反射する導電体から成る反射傘と、
上記閃光発光放電管の表面上であって、上記放電発光部から上記一方の端子部にかけて形成された透明電極と、
を具備し、
上記反射傘に印加されたトリガ電圧が、上記保持部及び透明電極を介して上記閃光発光放電管に印加されるこをと特徴とするストロボ装置。
【請求項３】
上記一方の端子部は陰極端子部であることを特徴とする請求項２に記載のストロボ装置。
【発明の詳細な説明】
【０００１】
【発明の属する技術分野】
この発明はデジタルカメラを含むカメラのストロボ装置に関するものである。
【０００２】
【従来の技術】
従来、パラボラ状の反射傘を用いたストロボ装置に於いて、放電管にトリガ電圧を印加する方法としては、例えば特開昭６３−４８５３７号公報に開示されているように、豆球型の放電管の頭部に弾性材を接触させてトリガ電圧を印加する方式が知られている。
【０００３】
【発明が解決しようとする課題】
しかしながら、上述した特開昭６３−４８５３７号公報に開示されたようなトリガ印加方法では、豆球型放電管と被写体の間にトリガを印加する弾性材が配置されている。そのため、放電管より放出した光が弾性材に遮られ、配光ムラや光量不足等が生じる原因となっている。
【０００４】
したがってこの発明は、上記実状に鑑みてなされたものであり、配光ムラや光量不足等が生じることなく、放電管の配向特性を向上させるストロボ装置を提供することを目的とする。
【０００５】
【課題を解決するための手段】
すなわちこの発明は、放電発光部と端子部とを有する閃光発光放電管と、上記閃光発光放電管より発せられた光を所定方向に向けて反射する反射傘と、を具備し、上記閃光発光放電管は、上記放電発光部から上記端子部にかけて透明電極が付与されており、この透明電極を介してトリガ電圧が上記閃光発光放電管に印加されることを特徴とする。
【０００６】
またこの発明は、放電発光部と、この放電発光部を挟んで両端に配される陽極端子部と、この陽極端子部よりも大きい陰極端子部とを有する閃光発光放電管と、上記陽極端子部と陰極端子部のうちの一方と圧接して、上記閃光発光放電管を保持する保持部を有し、上記閃光発光放電管より発せられた光を所定方向に向けて反射する導電体から成る反射傘と、上記閃光発光放電管の表面上であって、上記放電発光部から上記一方の端子部にかけて形成された透明電極と、を具備し、上記反射傘に印加されたトリガ電圧が、上記保持部及び透明電極を介して上記閃光発光放電管に印加されるこをと特徴とする。
【０００７】
この発明のストロボ装置にあっては、放電発光部と端子部とを有する閃光発光放電管より発せられた光は、反射傘によって所定方向に向けて反射される。そして、上記閃光発光放電管は、上記放電発光部から上記端子部にかけて透明電極が付与されており、この透明電極を介してトリガ電圧が上記閃光発光放電管に印加される。
【０００８】
またこの発明のストロボ装置は、閃光発光放電管と、反射傘と、透明電極とを具備ている。上記閃光発光放電管は、放電発光部と、この放電発光部を挟んで両端に配される陽極端子部と、この陽極端子部よりも大きい陰極端子部とを有して構成される。また、上記反射傘は、上記陽極端子部と陰極端子部のうちの一方と圧接して、上記閃光発光放電管を保持する保持部を有し、上記閃光発光放電管より発せられた光を所定方向に向けて反射する導電体から成っている。更に、透明電極は、上記閃光発光放電管の表面上であって、上記放電発光部から上記一方の端子部にかけて形成されている。そして、上記反射傘に印加されたトリガ電圧が、上記保持部及び透明電極を介して上記閃光発光放電管に印加される。
【０００９】
【発明の実施の形態】
以下、図面を参照してこの発明の実施の形態について説明する。
【００１０】
初めに、この発明のストロボ装置の第１の実施の形態について説明する。
【００１１】
図１はこの発明のストロボ装置の構成を示す断面図、図２は該ストロボ装置の発光部を一部断面で示した斜視図である。
【００１２】
閃光発光放電管であるキセノン管１は、内部にキセノンガスが封入されると共に、その両端より外部に延出して形成された端子１ａ及び１ｂとを有している。上記端子１ａは、光の照射方向に延出して形成され、端子１ｂは本体の固定部材４の方向に延出して形成されている。端子１ａは、キセノン管１に対しほぼ直角に折曲がり、図示されないリード線、或いは基板に電気的に接続される。一方、端子１ｂは、キセノン管１に対して直線状に延出され、リード線、或いは図示されない基板等に電気的に接続される。
【００１３】
上記端子１ａ及び１ｂはキセノン管１内の端部より延出形成されているが、被写体側の端子１ａの端部に陽極（アノード）１ｃが、そして本体側の端子１ｂの端部に陰極（カソード）１ｄが、それぞれ配置されている。この理由は、陰極１ｄの電極形状が陽極１ｃの電極より大きく、発光時、電極の影が多く発生し、照射光量・配光に影響を与えないようにするためである。
【００１４】
キセノン管１の表面には、ネサコートと称される透明電極１ｅが塗布されている。このネサコートは、キセノン管１の放電部分全体に瞬間的に高電圧を印加し、キセノン管１内に充満しているキセノンガスを励起させる役割を有している。そして、このネサコートは、通常、アーク放電を行う部分のみに塗布されているが、この発明のキセノン管では、図示の如く、アーク放電部の外側で陰極１ｄ部分にも塗布されている。
【００１５】
反射傘２は、パラボラ形状に構成されており、その中心部分は上記キセノン管１に密着するべく開口が設けられている。そして、この開口より端子１ｂが挿通されるようにして、反射傘２の中心部近傍が保持部２ａとしてキセノン管１と密着される。尚、この保持部２ａには、上記透明電極１ｅが塗布されているので、反射傘２とキセノン管１は電気的に接続される。また、図では透明電極１ｅの塗布範囲がわかるように、反射傘２とキセノン管１との間に隙間を空けて示している。
【００１６】
また、反射傘２は、キセノン管１の陰極１ｄ部分と密着され、キセノン管１のアーク放電部分からパラボラ形状に構成されている。反射傘２に印加される高電圧のリークを除去するため、反射傘２の被写体側の端面と端子１ａは、十分に離間されている。更に、反射傘２の外表面側には、リード線３が接続されている。
【００１７】
キセノン管１と反射傘２は、本体の固定部材４によって固定され、所定の方向に向けて光が照射されるようになっている。固定部材４の固定部分は、キセノン管１と反射傘２の接触を良くするため、この２つの部品が圧入されるような構成となっている。
【００１８】
台座となる固定部材４には、反射傘２及びキセノン管１を固定するための貫通孔が設けられており、この貫通孔に反射傘２が挿入されている。反射傘２の内側にはキセノン管１が圧入され、これにより、上述したようにキセノン管１と反射傘２とが電気的に接続される。
【００１９】
上記固定部材４は、径の異なる３段階の連続する貫通孔を有して構成されている。すなわち、反射傘２とキセノン管１の挿入方向からみて、最も径の大きな孔４ａ、この孔４ａより小さい径を有する孔４ｂ、そして最も径の小さい孔４ｃから成っている。
【００２０】
上記孔４ａでは反射傘２が保持部２ａの外周部によって固定され、孔４ａの底部４ａａに、保持部２ａの端部が当接することにより、反射傘２の固定部材４に対する軸方向の位置が規制される。孔４ｂはキセノン管１の外周に対し所定量の隙間が生じるように形成され、孔４ｂの底部４ｂａにキセノン管１の端部が当接可能なようになっている。そして、孔４ｃは、端子１ｂが通るだけの径を有して形成される。このように、孔４ａ〜４ｃが形成される位置によって、キセノン管１と反射傘２の固定位置が定められるようになっている。
【００２１】
また、図３に示されるように、端子１ａの断面形状は略長方形の板状に形成されており、その厚さ方向が被写体方向となるように配置されている。このような形状に端子１ａを設けることにより、反射傘２に反射して被写体に照射される光のうち、端子１ａによって遮られ、或いは設計値以外の方向に光が向かうことが少なくなり、より多くの光が被写体に照射されることになる。
【００２２】
次に、図４を参照して、このストロボ装置の電気回路について説明する。
【００２３】
図４に於いて、通常、電池で構成される電源Ｅと並列に、昇圧回路（ＣＮＶ）１１と、抵抗Ｒ１とＲ２の直列回路が接続されている。上記昇圧回路１１は、制御回路（ＣＰＵ）１２より充電信号が出力されると、電源Ｅの電圧を昇圧し、昇圧した電荷をダイオードＤを介して発光用メインコンデンサＣ１に送る機能を有している。
【００２４】
また、上記直列回路は、昇圧回路１１の出カ電圧値を測定する回路であり、抵抗Ｒ１とＲ２の中間には昇圧回路１１の出カ電圧を（１／抵抗比）倍された電圧が発生する。予め抵抗比がわかっていれば、昇圧回路１１の電圧値を知ることができる仕組みになっている。
【００２５】
ダイオードＤは逆流防止用ダイオードであり、発光用メインコンデンサＣ１に蓄積した電荷が、抵抗Ｒ１、Ｒ２から成る直列回路へ向って流れ出さないように設けられている。発光用メインコンデンサＣ１は、発光用のキセノン管（Ｘｅ）１の発光エネルギーを蓄積するために設けられているもので、ダイオードＤを介して昇圧回路１１と並列に接続されている。
【００２６】
また、上記発光用メインコンデンサＣ１と並列に、発光用キセノン管１と発光電流を制御するスイッチング素子ＩＧＢＴの直列回路が接続されている。キセノン管１は被写体に向けて光を照射し、カメラ撮影時の光として使用する。スイッチング素子ＩＧＢＴは、キセノン管１の発光電流を制御する素子であり、発光量の調節のために設けられている。
【００２７】
スイッチング素子ＩＧＢＴと並列に、トリガコンデンサＣ２とトリガコイルＴの一次巻線との直列回路から成るトリガ回路が接続されている。また、トリガコンデンサＣ２のエネルギーを供給するため、キセノン管１と並列に、抵抗Ｒ３が接続されている。トリガコイルＴの二次側出カ端子は、キセノン管１の外壁に接続されている。
【００２８】
次に、このように構成された電気回路の動作を説明する。
【００２９】
先ず、制御回路１２のＣＨＧ端子より充電信号が昇圧回路１１に出力される。すると、昇圧回路１１により充電が開始されて、電源Ｅの電圧が昇圧される。すると、ダイオードＤを介して発光用メインコンデンサＣ１に充電される充電電圧が、抵抗Ｒ１、Ｒ２の直列回路から成る充電電圧検出回路にて、制御回路１２のＶＳＴ端子に入カされる。
【００３０】
充電中、制御回路１２のＶＳＴ端子の端子電圧が所定の電圧になると、発光用メインコンデンサＣ１の電圧は発光可能なフル充電電圧となり、その時点で制御回路１２のＣＨＧ端子よりＯＦＦが出力され、充電が停止する。充電電流は発光用メインコンデンサＣ１に充電されるが、同時に抵抗Ｒ３を介してトリガコンデンサＣ２にも同じ電圧が充電される。
【００３１】
充電が完了すると、制御回路１２のＳＴ端子より発光開始信号がスイッチング素子ＩＧＢＴに出力される。スイッチング素子ＩＧＢＴが動作すると、トリガコンデンサＣ２の電荷が放出され、トリガコイルＴの一次巻線側に電流の変化が生じる。
【００３２】
トリガコイルＴの一次側に電流の変化が生じると、このエネルギーが二次側に伝達される。二次側コイルの出カ端は、キセノン管１の外壁に接続されているため、抵抗値としては無限大である。したがって、トリガコイルＴの二次巻線側の出力端には高電圧が発生し、キセノン管１内のキセノンガスを励起させる。
【００３３】
この高電圧は、図示されない他の部品へ放電（トリガリーク）されるようなことが起こると、不発光や不良の原因となる。キセノンガスが励起すると、キセノン管１の内部の抵抗が下がり、電流が流れて、この電流によって光が放出される。
【００３４】
スイッチング素子ＩＧＢＴのオン時間が予め設定された時間に達すると、制御回路１２のＳＴ端子よりオフ信号が出カされる。スイッチング素子ＩＧＢＴにオフ信号が入カされると、スイッチング素子ＩＧＢＴの動作が停止され、電流がカットされる。電流がカットされると、キセノン管１の電流が停止され、発光が停止される。
【００３５】
このように構成された第１の実施の形態によるストロボ装置では、キセノン管１の放電部の外側にネサコートが設置されており、更にキセノン管１とパラボラ形状に構成された反射傘２の接触部分にネサコートが塗布されているので、反射傘２に印加されたトリガ電圧をキセノン管１の表面に直接印加することができる。したがって、発光しやすく、被写体との間にトリガ電極が存在しないので、配光ムラや光量不足になることがないストロボ装置を提供することができる。
【００３６】
また、キセノン管を正規の位置に設置する際、反射傘に圧入して取り付けるため、接触性が良くなり、トリガがかかりにくくなるということがない。
【００３７】
尚、図３に於いて、端子１ａの断面形状は略長方形の板状として説明したが、これに限られるものではない。例えば、その板厚方向の電極の断面形状が円状になっていても問題はない。
【００３８】
次に、第１の実施の形態の変形例を説明する。
【００３９】
上述した第１の実施の形態では、パラボラ形状の反射傘２の中心部は、保持部２ａの全体が、キセノン管１の端部と透明電極１ｅを介して接続、固定されていたが、図５に示されるように、保持部２ａの一部を切り欠いて弾性を利用したものであっても良い。
【００４０】
図５は、第１の実施の形態の変形例の構成を示すもので、（ａ）は反射傘の保持部の構造を示した外観斜視図、（ｂ）は反射傘の保持部及びキセノン管の断面図である。
【００４１】
例えば、反射傘２の保持部２ａの周方向の３箇所に、圧接用切欠部２ｂが形成されている。これらの圧接用切欠部２ｂは、保持部２ａの中心軸方向に弾性力を有するもので、その先端部近傍には一体的に形成された突起２ｃ設けられている。弾性力によって突起２ｃが、透明電極１ｅを介してキセノン管１と接触することにより、キセノン管１と反射傘２とが電気的に接続される。
【００４２】
このように構成しても、上述した第１の実施の形態と同様の効果を得ることができる。
【００４３】
次に、この発明の第２の実施の形態について説明する。
【００４４】
この第２の実施の形態のストロボ装置の構成は、上述した第１の実施の形態のストロボ装置とほぼ同じであるので、同じ構成部分には同一の参照番号を付して説明は省略する。
【００４５】
図６は、この発明の第２の実施の形態によるストロボ装置の構成を示した断面図である。
【００４６】
キセノン管１と反射傘２のコネクト部分には、導電性素材で構成されたリング５が設置されている。このリング５は、また、弾性素材で構成されており、キセノン管１と反射傘２の双方に密着して取付けられるようになっている。このリング５は、透明または白色等、キセノン管１が発光した時に発生する熱を吸収しないような素材で、例えばゴムまたは樹脂製のものである。
【００４７】
このリング５は、図７に示されるように、キセノン管１と反射傘２とに密着している。そして、このリング５は、キセノン管１の透明電極１ｅが塗布されている先端部を導電性の導電部５ａとし、その他の部分は絶縁体で構成された絶縁部５ｂとして構成される。
【００４８】
反射傘２に発生しているトリガ電圧は絶縁部５ｂの端部でブロックされ、キセノン管１に発生しているトリガ電圧は絶縁部５ｂのキセノン管１と密着している部分でブロックされるため、図示されない他部品へのトリガのリークが生じることはない。
【００４９】
このように、第２の実施の形態に従って構成されたストロボ装置に於いては、パラボラ状の反射傘とキセノン管の間に双方のコネクトを行うリングを設置することで、キセノン管によりトリガ電圧が印加されやすいストロボ装置を提供することができる。
【００５０】
また、リングの素材のトリガ印加部は導電性に、その他の部分は絶縁性にして構成することで、トリガ電圧の引加がしやすく、トリガリークの発生もしない。また、被写体との間にトリガ電極が存在しないので、配光ムラや光量不足になることがないストロボ装置を提供することができる。
【００５１】
次に、この発明の第２の実施の形態の変形例を説明する。
【００５２】
図８は、第２の実施の形態の変形例の構成を示すもので、反射傘の保持部及びキセノン管の断面図である。
【００５３】
上述した図７に示される第２の実施の形態では、リング５の絶縁部５ｂの端部は、反射傘２の中心軸より外側に向けて開いて構成されていた。これに対し、変形例では、図８に示されるように、リング５の絶縁部５ｂは、キセノン管１より延出される端子１ｂの周囲を覆い隠すように構成されている。
【００５４】
このように構成しても、上述した第２の実施の形態と同様の効果を得ることができる。
【００５５】
尚、この発明の上記実施の形態によれば、以下の如き構成を得ることができる。
【００５６】
すなわち、
（付記項１）　放電発光部と、この放電発光部を挟んで両端に配される陽極端子部と、この陽極端子部よりも大きい陰極端子部とを有する閃光発光放電管と、上記閃光発光放電管の上記陽極端子部と陰極端子部のうちの一方が挿通される挿通孔を有し、上記閃光発光放電管より発せられた光を所定方向に向けて反射する導電体から成る反射傘と、
上記閃光発光放電管の表面上であって、上記放電発光部から上記一方の端子部にかけて形成された透明電極と、
上記挿通孔と上記閃光発光放電管との間に配される導電部を有する弾性支持部材と、
を具備し、
上記挿通孔に上記閃光発光放電管及び上記弾性支持部材とを組み入れた状態で、上記弾性支持部材が弾性変形することにより、上記反射傘と上記透明電極とが上記弾性支持部材の導電部を介して電気的に接続されることを特徴とするストロボ装置。
【００５７】
（付記項２）　上記弾性支持部材に形成され、上記閃光発光放電管から突出している端子と、上記反射傘との間に配される絶縁部を有し、この絶縁部により、上記反射傘と上記端子との間での短絡を防止可能なことを特徴とする付記項１に記載のストロボ装置。
【００５８】
（付記項３）　電流を流すことにより光を放出する放電管と、
上記放電管より発せられた光を集光し、配光を調節するパラボラ状の反射傘と、上記放電管と上記反射傘を固定する固定部材と、を有するストロボ装置に於いて、
上記放電管は透明電極が放電部の外側にまで塗布され、上記反射傘はパラボラ状の中心部分で上記放電管の放電部の外側でのみ接触されるように配置していることを特徴とするストロボ装置。
【００５９】
（付記項４）　上記放電管は、上記反射傘に圧入して取り付けられることを特徴とする付記項３に記載のストロボ装置。
【００６０】
（付記項５）　電流を流すことにより光を放出する放電管と、上記放電管より発せられた光を集光し、配光を調節するパラボラ状の反射傘と、上記放電管と上記反射傘を固定する固定部材とを有するストロボ装置に於いて、
上記放電管は透明電極が放電部の外側にまで塗布され、上記放電管と反射傘の間に導電性弾性部材が設置されていることを特徴とするストロボ装置。
【００６１】
（付記項６）　上記弾性部材は一部分が導電性で、もう一部分が絶縁性になっていることを特徴とする付記項５に記載のストロボ装置。
【００６２】
【発明の効果】
以上説明したようにこの発明によれば、放電管の放電部分の外側にトリガ印加用の電極を設け、この電極部分と反射傘を接触させトリガ電圧を印加させて放電管にトリガ電圧を印加することによって、発光しやすくなり、被写体との間にトリガ電極が存在しないので配光ムラや光量不足になることがないストロボ装置を提供することができる。
【００６３】
また、放電管を反射傘に圧入することにより、接触性が良く、不発光が起こりにくく、トリガノイズもないストロボ装置を提供することができる。
【００６４】
また、放電管と反射傘の接触部分に弾性材のリングを挿入することで、放電管と反射傘の接触性が更に高いストロボ装置を提供することができる。
【００６５】
更に、弾性材のリングの放電管の透明電極部と接触する部分を導雷性、その他の部分を絶縁性にすることにより、トリガ電圧の印加性とトリガ漏れの防止の２つを実現することが可能なストロボ装置を提供することができる。
【図面の簡単な説明】
【図１】この発明のストロボ装置の第１の実施の形態の構成を示す断面図である。
【図２】第１の実施の形態によるストロボ装置の発光部を一部断面で示した斜視図である。
【図３】第１の実施の形態に於ける端子１ａの断面形状を示した斜視図である。
【図４】第１の実施の形態に於けるストロボ装置を駆動するための電気回路の構成を示した回路図である。
【図５】第１の実施の形態の変形例の構成を示すもので、（ａ）は反射傘の保持部の構造を示した外観斜視図、（ｂ）は反射傘の保持部及びキセノン管の断面図である。
【図６】この発明の第２の実施の形態によるストロボ装置の構成を示した断面図である。
【図７】第２の実施の形態によるストロボ装置に於いてリング及びその周辺部の構成を示した断面図である。
【図８】第２の実施の形態の変形例の構成を示すもので、反射傘の保持部及びキセノン管の断面図である。
【符号の説明】
１　キセノン管、
１ａ、１ｂ　端子、
１ｃ　陽極（アノード）、
１ｄ　陰極（カソード）、
１ｅ　透明電極、
２　反射傘、
２ａ　保持部、
３　リード線、
４　固定部材、
４ａ、４ｂ、４ｃ　孔、
５　リング。
【図１】
2004012782.tif 000003
【図２】
2004012782.tif 000004
【図３】
2004012782.tif 000005
【図４】
2004012782.tif 000006
【図５】
2004012782.tif 000007
【図６】
2004012782.tif 000008
【図７】
2004012782.tif 000009
【図８】
2004012782.tif 000010